(57)【要約】【課題】冷却能力が同等で、冷却器を小型化でき、直材コストを低減できる冷蔵庫を提供することを目的とする。【解決手段】庫内を冷却した後の冷気が、冷却器３１を２度に渡って通過した後、冷気供給ダクト３２を通って再度前記貯蔵室へ供給されるようにしたものである。これによって、戻り冷気を冷却器３１に２回通過させるので、冷凍サイクルの能力を増大させずに、より低温の冷気を得ることが可能となり、その結果、冷却能力が同等で、容積アップが可能となる。【選択図】図１
2014190551.tif 000002
【特許請求の範囲】
【請求項１】
冷凍サイクルを構成する冷却器により冷却された冷気を冷気供給ダクトを通じて、断熱区画された貯蔵室へ供給して庫内を冷蔵または冷凍する冷蔵庫において、前記庫内を冷却した後の冷気は、前記冷却器を２度に渡って通過した後、前記冷気供給ダクトを通って再度前記貯蔵室へ供給されることを特徴とする冷蔵庫。
【請求項２】
前記庫内を冷却した後の冷気は、冷気戻り口から前記冷却器の左右いずれか一方向側に流入し、前記冷却器で冷却された後、冷気循環ダクトの入口側に流入し、前記冷却器の側面の他方に配置されている前記冷気循環ダクト内を通って、前記冷気循環ダクトの出口側から前記冷却器の前記冷気戻り口からの流入とは反対側となる左右一方向側に、一回目と同じ流れ方向となるように送出され、前記冷却器で２度に渡って冷却された後、冷気供給ダクトを介して前記貯蔵室へ冷気が供給されることを特徴とする請求項１に記載の冷蔵庫。
【請求項３】
前記冷却器の左右一側面側において、前記庫内を冷却した後の冷気が流れる冷気戻りダクトと、前記冷気循環ダクトが、冷蔵庫の前後方向に互いに独立すると共に重ねて配置されたことを特徴とする請求項１または２に記載の冷蔵庫。
【請求項４】
前記冷気循環ダクトの入口側に流入する冷気を、上方向または下方向に偏向させるためのガイド部材を設けたことを特徴とする請求項１〜３のいずれか一項に記載の冷蔵庫。
【請求項５】
前記冷気循環ダクトの出口側から送出される冷気を、上方向または下方向に偏向させるためのガイド部材を設けたことを特徴とする請求項１〜４のいずれか一項に記載の冷蔵庫。
【請求項６】
前記冷気循環ダクトの出口側近辺に、冷気を循環させるためのファンを配置したことを特徴とする請求項１〜５のいずれか一項に記載の冷蔵庫。
【請求項７】
前記冷気供給ダクトの入口側近辺に、冷気を循環させるためのファンを配置したことを特徴とする請求項１〜５のいずれか一項に記載の冷蔵庫。
【発明の詳細な説明】
【技術分野】
【０００１】
本発明は、貯蔵室を冷却する冷蔵庫の冷却器周辺の冷却風路に関するものである。
【背景技術】
【０００２】
従来、この種の冷蔵庫として、図５は冷気強制循環方式の冷蔵庫の内部構成を側面から示したものであり、図６は断熱仕切体と冷却器の関係を示すもので、図５および図６において、１は鋼板製の外箱２と、合成樹脂製の内箱３と、発泡断熱材４とからなる冷蔵庫本体（断熱箱体ともいう）で、その内部（内箱３）は二つの断熱仕切体５、６によって、上部の冷蔵室７と、中央の野菜室８と、下部の冷凍室９とに区画形成され、それぞれに扉１０、１１、１２が設けられている。
【０００３】
１３は前記野菜室８の背面に仕切板１４と前記冷凍室９の背面に仕切板１４’、および前記仕切板１４と前記仕切板１４’の間に前記断熱仕切体６後端により区画した冷却器室、１５は同冷却器室１３内に設けられ、左右方向に分割し、左右に分割した間に仕切具１５ａを付設した多数のフィンおよびこれに直交する伝熱管からなる冷却器である。なお、前記冷却器３１５の前記仕切具１５ａで左右に分割された一方で生成した冷気を前記冷蔵室７および前記野菜室８庫内に供給する側を冷却器部１５’とし、他方で生成した冷気を前記冷凍室９庫内に供給する側を冷却器部１５”とする。１６は上方に設けられて、前記冷却器部１５’で生成した冷気を前記冷蔵室７および前記野菜室８庫内に送出する送風機、１６’は前記冷凍室９の背面と前記冷却器３１５との間の前記仕切板１４’の前方に設けられて、前記冷却器部１５”で生成した冷気を前記冷凍室９庫内に送出する送風機、および２７、２８は同各送風機１６、１６’により送出されて庫内を循環した戻り冷気を前記冷却器３１５に循環するための冷気戻りダクトである。
【０００４】
そして、前記冷却器室１３の下部には除霜ヒータ１７が設けられ、同除霜ヒータ１７の下方に排水樋１８が設けられ、この同排水樋１８に流下した前記冷却器３１５の除霜水は排水管１９を介して圧縮機２０等が配置された機械室２１内の蒸発皿２２に流入し、蒸発させるようになっている。
【０００５】
また、前記冷凍室９へ冷気を供給する前記冷却器部１５”側の前記断熱仕切体６の後部に、前記冷却器部１５”に対向して凸状の冷気を案内する案内部６ｂを形成するとともに、前記冷却器３１５を左右に分割した前記仕切具１５ａと前記断熱仕切体後部の凸状の案内部６ｂを一体に成形した送風体６ａを設け、前記冷却器室１３内に配置することにより、左右に分割した前記冷却器３１５’、１５”にそれぞれ対応して各送風路２４ａ、２４ｂからなる送風路２４を構成することができる。
【０００６】
前記仕切板１４の前部には前記野菜室８との断熱壁２３を設け、前記仕切板１４と前記内箱３の間に第一の送風路２４ａを形成し、同第一の送風路２４ａは前記冷蔵室７背後の冷気供給路２５と連通し、前記冷却器部１５’により生成された冷気を前記第一の送風路２４ａから第一の送風機１６により前記冷気供給路２５を介して上部の前記冷蔵室７に供給し、供給された冷気は前記断熱仕切体５の前方に形成された冷気供給孔５ａから前記野菜室８に供給され、同野菜室からの戻り冷気は破線で示す第１の冷気戻りダクト２７を介して前記冷却器３１５の下部に戻される。
【０００７】
一方、前記送風体６ａにより形成された第二の送風路２４ｂは、前記冷却器部１５”側で、且つ、前記仕切板１４’の前方により構成され、前記冷凍室９背面の冷気吹出口２６ａ、２６ｂを有する冷気供給路２６と連通しており、前記冷却器部１５”により生成され
た冷気を前記第二の送風路２４ｂから第二の送風機１６’により前記冷気供給路２６を介して前記冷気吹出口２６ａ、２６ｂから前記冷凍室９に冷気を供給するとともに、前記断熱仕切体６の下部と前記冷凍室９の間に、冷気を供給する前記冷気供給路２６’を形成することにより、前記冷凍室９への冷気供給の効率向上を図っている。なお、前記冷凍室からの戻り冷気を前記仕切板１４’に形成された冷気戻り口１４’ａに連通する第２の冷気戻りダクト２８を介して前記冷却器３１５の下部に戻されるようになっている。
【０００８】
以上説明したように、前記冷却器３１５を前記仕切具１５ａで左右方向に分割し、前記冷却器３１５で熱交換後、冷却された冷気をそれぞれ送出する２系統の冷気回路を構成することにより、複数の貯蔵室専用の冷却器を複数備える必要もなく、部品点数および組立工数が増大し、且つ、庫内容積の縮小等の恐れのある問題を無くすことができる。
【０００９】
そして、前記冷蔵室７および前記野菜室８と前記冷凍室９の２系統に使い分けする前記冷却器３１５に、前記冷蔵室７および前記野菜室８用の温度検出センサ２９と前記冷凍室９用の温度検出センサ３０を前記冷却器３１５の上端に各々付設し、前記温度検出センサ２９、３０により、前記冷気送出用の送風機１６、１６’を各々制御することにより、冷却効率の向上および省エネルギー化を図っている。
【先行技術文献】
【特許文献】
【００１０】
【特許文献１】特開２００２−２７７１４２号公報
【発明の概要】
【発明が解決しようとする課題】
【００１１】
しかしながら、前記従来の構成では、冷却器室内に設けられた冷却器を仕切具により左右方向に分割し、分割した一方の冷却器からの冷気を冷蔵室に供給し、分割した他方の冷却器からの冷気を冷凍室に供給しているので、一般の冷蔵庫のように、各々別個に配置の冷蔵室用冷却器と冷凍室用冷却器を一つに結合させたものとほぼ等しく、冷却器事体の体積（大きさ）を小型化する事はできないという課題を有していた。
【００１２】
本発明は前記従来の課題を解決するもので、冷却能力が同等で、冷却器を小型化でき、直材コストを低減できる冷蔵庫を提供することを目的とする。
【課題を解決するための手段】
【００１３】
前記従来の課題を解決するために、本発明の冷蔵庫は、庫内を冷却した後の冷気が、冷却器を２度に渡って通過した後、冷気供給ダクトを通って再度前記貯蔵室へ供給されるようにしたものである。
【００１４】
これによって、戻り冷気を冷却器に２回通過させるので、冷凍サイクルの能力を増大させずに、より低温の冷気を得ることが可能となり、その結果、冷却能力が同等で、容積アップが可能となる。
【発明の効果】
【００１５】
本発明の冷蔵庫は、冷凍サイクルの能力を増大させずに、より低温の冷気を得ることが可能となり、その結果、冷却能力が同等で、容積アップが可能となる。もしくは、従来、冷却器で占有されていた領域を、断熱材で充填することができ、冷蔵庫の断熱性能が向上する。いずれにしても、冷却器を小型化できるので、直材コストを低減できる。
【図面の簡単な説明】
【００１６】
【図１】本発明の実施の形態１における冷蔵庫の冷却器近傍の風路構成模式図
【図２】本発明の実施の形態１における冷蔵庫の冷却器近傍の風路横断面模式図
【図３】本発明の実施の形態２における冷蔵庫の冷却器近傍の風路縦断面模式図
【図４】本発明の実施の形態３における冷蔵庫の冷却器近傍の風路構成模式図
【図５】従来の冷蔵庫の冷気強制循環方式の冷蔵庫の内部構成の側面図
【図６】従来の冷蔵庫の断熱仕切体と冷却器の関係を示す図
【発明を実施するための形態】
【００１７】
第１の発明は、冷凍サイクルを構成する冷却器により冷却された冷気を冷気供給ダクトを通じて、断熱区画された貯蔵室へ供給して庫内を冷蔵または冷凍する冷蔵庫において、前記庫内を冷却した後の冷気は、前記冷却器を２度に渡って通過した後、前記冷気供給ダクトを通って再度前記貯蔵室へ供給されることにより、戻り冷気を冷却器に２回通過させるので、冷凍サイクルの能力を増大させずに、より低温の冷気を得ることが可能となり、その結果、冷却能力が同等で、容積アップが可能となる。もしくは、従来、冷却器で占有されていた領域を、断熱材で充填することができ、冷蔵庫の断熱性能が向上する。いずれにしても、冷却器を小型化できるので、直材コストを低減できる。
【００１８】
第２の発明は、前記庫内を冷却した後の冷気は、冷気戻り口から前記冷却器の左右いずれか一方向側に流入し、前記冷却器で冷却された後、冷気循環ダクトの入口側に流入し、前記冷却器の側面の他方に配置されている前記冷気循環ダクト内を通って、前記冷気循環ダクトの出口側から前記冷却器の前記冷気戻り口からの流入とは反対側となる左右一方向側に、一回目と同じ流れ方向となるように送出され、前記冷却器で２度に渡って冷却された後、冷気供給ダクトを介して前記貯蔵室へ冷気が供給されることにより、冷却器の左右一方向側を通過した冷気は、拡散することなく、曲がり部を有する冷気循環ダクト内を通過し、効率的に冷却器の左右反対側に導かれるとともに、一回目と二回目の冷却器の流れ方向を同一にしているので、冷却器で冷気が複雑な乱流状態となって、冷気の流れが停滞するのを防止している。
【００１９】
第３の発明は、前記冷却器の左右一側面側において、前記庫内を冷却した後の冷気が流れる冷気戻りダクトと、前記冷気循環ダクトが、冷蔵庫の前後方向に互いに独立すると共に重ねて配置されたことにより、冷気戻りダクト内の冷気と冷気循環ダクト内の冷気が混ざり合うのを防止するとともに、両ダクトを前後方向に重ねて配置しているので、前記冷却器の側面側スペースの占有幅の増大を防止したコンパクトな構成となっている。
【００２０】
第４の発明は、前記冷気循環ダクトの入口側に流入する冷気を、上方向または下方向に偏向させるためのガイド部材を設けたことにより、冷気循環ダクトの入口側は、冷却器を通過した冷気を前方向または後方向のどちらか一方に円滑に流入させることが可能となり、冷気循環ダクトの入口側近辺で、冷却器を通過した冷気が壁に衝突して乱流状態となることを防止することができる。
【００２１】
第５の発明は、前記冷気循環ダクトの出口側から送出される冷気を、上方向または下方向に偏向させるためのガイド部材を設けたことにより、冷気循環ダクトと冷気供給ダクトが前後方向に交差する構成となるため、冷気循環ダクトの出口側は、前後方向の位置関係と反対側の方向に位置する冷気供給ダクトに向けて、前方向または後方向のどちらか一方の側に冷気を流出させるガイド部材を設けることにより、前後方向のどちらか一方へ円滑に冷気を導くことが可能となり、冷気循環ダクトの出口側近辺で、冷気が散乱状態となることを防止することができる。
【００２２】
第６の発明は、前記冷気循環ダクトの出口側近辺に、冷気を循環させるためのファンを配置したことにより、ファンの吸込力により、冷却器を通過した冷気を効率的に吸引できるとともに、吐出された冷気に勢いがあるので、再度、冷気循環ダクトの入口側から吸引
されるのを抑制でき、冷気供給ダクトに向かう直線的な流れを生み出すことが可能となり、冷気流れの短絡を抑制することができる。
【００２３】
第７の発明は、前記冷気供給ダクトの入口側近辺に、冷気を循環させるためのファンを配置したことにより、ファンの吸込力により、冷却器を通過した冷気を効率的に吸引できるとともに、冷気供給ダクトに勢いのある冷気流を吐出することができ、多量の冷気を確実に庫内へ導くことが可能となる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における冷蔵庫の冷却器近傍の風路構成模式図である。図２は、本発明の第１の実施の形態における冷蔵庫の冷却器近傍の風路横断面模式図である。
【００２６】
図１、図２において、貯蔵室を冷却するための冷気を生成する冷却器３１の下面左側の戻り口３３には、冷凍室、野菜室を冷却したあとの戻り冷気が流入する。冷却器３１の上面左側には冷気循環ダクト３５の入口部が開口しており、冷気循環ダクト３５の出口部は冷却器３１の下面右側に開口している。冷気循環ダクトを介して、冷却器３１を２度に渡って通過した戻り冷気は、冷気供給ダクト３２より貯蔵室へと導かれる。冷蔵室を冷却した冷気は、冷気戻りダクト３４内を流れて、冷却器３１の下面左側へと還流する。
【００２７】
以上のように構成された冷蔵庫について、以下その動作、作用を説明する。
【００２８】
まず、冷凍室、野菜室、冷蔵室を冷却したあとの戻り冷気は、冷却器３１の戻り口３３から冷却器３１に流入し、冷却器３１と熱交換を行うことによって冷却されて、温度が低下する。そして、温度が低下した戻り冷気は、冷気循環ダクト３５へと流入し、冷却器３１の下面右側へと導かれて、再び、冷却器３１へ流入し、冷却器３１と２度目の熱交換を行うことによって、さらに温度降下し、冷気供給ダクト３２より各貯蔵室へと供給される。冷蔵室、野菜室、冷凍室などの貯蔵室を冷却した冷気は、戻り冷気として再び、冷却器３１の下面左側の冷気戻り口３３へと導かれる。
【００２９】
冷気循環ダクト３５は、戻り冷気が冷却器によって冷却された後、もう一度、同じ方向となる冷却器３１の下面右側から、上面へ向かって流入させるために設けられている。また、冷気循環ダクト３５のもう一つの役割は、冷却器３１の下面における貯蔵室からの戻り冷気と、冷気循環ダクト３５内からの冷気が、乱流状態とならないように、左右に区切って、境界を形成する作用も持たせている。
【００３０】
また、冷却器３１の側方のスペースを有効活用するという観点から、冷蔵室からの戻り冷気が流れている冷気戻りダクト３４と、冷却器３１で冷却された冷気が流れる冷気循環ダクト３５を、冷蔵庫の前後方向に互いに独立するように配置することにより、冷却器３１の側方に新たなスペースを設けることなく、冷気戻りダクト３４と重なり合うように冷気循環ダクト３５を配設している。
【００３１】
そして、冷気戻りダクト３４と冷気循環ダクト３５、及び、冷気循環ダクト３５と冷気供給ダクト３２は、省スペースを考慮し、互いに独立した風路を冷蔵庫の前面側と背面側との２段に重ねて配置されている。各々のダクト内の冷気の流れを説明すると、冷蔵室内を冷却したあとの戻り冷気は、冷却器３１の右側面の冷蔵庫の背面側に配置されている冷気戻りダクト内を通過して、冷却器３１の戻り口３３へと導かれる。同様に、冷凍室、野
菜室内を冷却したあとの戻り冷気も、戻り口３３へと導かれる。戻り口３３に導かれた冷気は、冷却器３１を通過する過程で冷却され温度が降下して、冷蔵庫の前面側に配設された冷気循環ダクト３５の入口から冷気循環ダクト３５内へと流入する。冷気循環ダクト３５の経路の一部は、冷却器３１の右側面の冷蔵庫の前面側に配設されており、冷蔵庫の背面側に配置されている冷気戻りダクト３４と、重なって配置されている。冷気循環ダクト３５を通過した冷気は、冷却器３１の下面右側へと導かれ、再び、冷却器３１内を通過することでより低温の冷気となり、冷蔵庫の背面側に設けられた冷気供給ダクト３２から各々の貯蔵室へと冷気が供給される。この冷気
供給ダクト３２と冷気循環ダクト３５は交差するが、冷気供給ダクト３２は冷蔵庫の背面側に配置され、冷気循環ダクト３５は冷蔵庫の前面側に配置されているので、ダクト同士が衝突することはなく、互いに独立して配設されている。
【００３２】
また、冷蔵室、冷凍室、野菜室を冷却した戻り冷気が、戻り口３３から冷却器３１を通過する際に、戻り冷気の一部が冷気循環ダクト３５の入口と異なる冷気供給ダクト３２の入口へと到達し、冷却器３１を２度通過せずに各々の貯蔵室へと供給される現象が起こる。この場合は、戻り冷気が冷却器３１の下面左側から冷却器３１の上面右側へと斜めに通過することになり、冷却器３１を直線的に通過する場合に比べて、冷却器との熱交換時間が長くなり、より低温の冷気が生成されると考えられる。
【００３３】
同様に、冷気循環ダクト３５の出口から、冷却器３１で一度冷却された戻り冷気が、冷却器３１を通過する過程で、戻り冷気の一部が冷気供給ダクト３２の入口と異なる冷気循環ダクト３５内の入口へと到達し、再び、冷気循環ダクト３５を通過して冷却器３１を３度通過するような現象が発生する。この場合は、戻り冷気の一部が、冷却器３１を数回、或いは、数十回通過する循環サイクルとなるが、冷却器を２回以上通過する過程で、より低温の戻り冷気となり、冷気循環ダクト３５内を流れる冷却器３１を１度のみ通過した戻り冷気と混合し、戻り冷気を冷却するので、結果として、冷気循環ダクト３５内の戻り冷気を、さらに、冷却することが可能となり、冷却効果が向上する。
【００３４】
また、冷蔵室、冷凍室、冷蔵室を冷却したあとの戻り冷気が冷却器へと流入する上向きの流れ方向に対して、冷気循環ダクト３５の出口側から冷却器３１へと流入する流れ方向も上向きとすることによって、冷却器３１内で冷気が渦状の乱流状態となって、冷気供給ダクトに冷気が流入する作用が妨げられ、各々の貯蔵室に冷気が供給されなくなるということを未然に防止している。
【００３５】
以上のように、本発明の形態においては、貯蔵室を冷却した後の冷気は、戻り口３３から冷却器３１の左右いずれか一方向側に流入し、冷却器３１で冷却された後、冷気循環ダクト３５の入口側に流入し、冷却器３１の側面の他方に配置されている冷気循環ダクト３５内を通って、冷気循環ダクト３５の出口側から冷却器３１の戻り口３３からの流入とは反対側となる左右一方向側に、一回目と同じ流れ方向となるように送出され、冷却器３１で２度に渡って冷却された後、冷気供給ダクト３２を介して貯蔵室へ冷気が供給されることにより、冷却器３１の左右一方向側を通過した冷気は、拡散することなく、曲がり部を有する冷気循環ダクト内を通過し、効率的に冷却器の左右反対側に導かれるとともに、一回目と二回目の冷却器の流れ方向を同一にしているので、冷却器で冷気が複雑な乱流状態となって、冷気の流れが停滞するのを防止している。また、冷却器３１に２度に渡って冷気を通過させるので、冷却器３１で冷却される時間が長くなり、より低温の冷気を生成することができ、冷凍サイクルの冷却能力が同等であっても、冷蔵庫の容積アップが可能となる。もしくは、冷却器３１の小型化により、冷却器３１で占有されていた領域を、断熱材で充填することができ、冷蔵庫の断熱性能が向上する。
【００３６】
（実施の形態２）
図３は、本発明の第２の実施の形態の冷蔵庫の冷却器近傍の風路縦断面模式図である。
【００３７】
図３において、実施の形態１の構成に加えて、冷気循環ダクト３５の入口部に設けられた第１の第１のガイド部材３６と、冷気循環ダクト３５の出口部に設けられた第２のガイド部材３７と、冷気供給ダクトの入口部に設けられた第３の第３のガイド部材３８とを備えている。
【００３８】
以上のように構成された冷蔵庫について、以下その動作、作用を説明する。
【００３９】
まず、冷蔵室、冷凍室、野菜室から冷却器３１の冷気戻り口３３へと還流された戻り冷気は、冷却器３１と熱交換した後、冷気循環ダクト３５の入口部へと向かい、冷気循環ダクト３５の入口部に設けられた第１のガイド部材３６によって、冷蔵庫の背面側から流入する戻り冷気を、冷蔵庫の前面側に設けられている冷気循環ダクト３５内へと導く。そして、冷蔵庫の前面側から略直線的に冷気循環ダクト３５内へと流入する戻り冷気は、第１のガイド部材３６によってガイドされてくる戻り冷気と混合して、冷気循環ダクト内へと流入する。
【００４０】
そして、冷気循環ダクト３５内を流れて、冷気循環ダクト３５の出口側に到達すると、冷気循環ダクト３５に設けられた第２のガイド部材３７によって、冷気循環ダクト３５内の戻り冷気は、冷蔵庫の前面側から背面側へと向かうように冷気が吐出され、冷却器３１で２度目の熱交換を行ったあとに、冷気供給ダクト３２の入口部から、冷気供給ダクト３２内へと流れる。このとき、冷気供給ダクト３２の入口部には第３のガイド部材３８が設けられており、冷気循環ダクト３５から熱交換器１を介して流れてくる冷気を、冷蔵庫の背面側に設けられた冷気供給ダクト３２の入口部から、冷気供給ダクト内へと導く作用を備えている。冷気供給ダクト３２内へと導かれた冷気は、冷気供給ダクトの出口から各々の貯蔵室へと供給される。
【００４１】
以上のように、本発明の形態においては、冷気循環ダクト３５の入口側に流入する冷気を、上方向に偏向させるための第１のガイド部材３６と、冷気循環ダクトの出口側から送出される冷気を、下方向に偏向させるための第２のガイド部材３７と、冷気供給ダクト３２の入口側に流入する冷気を、下方向に偏向させるための第３のガイド部材３８を設けたことにより、冷気循環ダクト３５の入口部と、冷気供給ダクトの入口部へ冷気がスムースに導かれることとなり、途中の経路で冷気が大きく干渉し合って乱流が発生し、冷気循環ダクト３５の入口部、並びに、冷気供給ダクトの入口部への冷気流入量が大きく減少し、冷気供給ダクト３２から各々の貯蔵室へと流れる冷気量が大幅に不足するのを防止することができる。そして、第１のガイド部材３６、第２のガイド部材３７、第３のガイド部材３８を設けることにより、冷蔵庫の前面側、或いは、冷蔵庫の背面側のどちらか一方へ円滑に冷気を導くことが可能となり、冷気循環ダクト３５の入口部近辺、並びに、冷気供給ダクト３２の入口部近辺において、冷却器を通過した冷気が冷気循環ダクト３５、或いは、冷気供給ダクト３２の壁に衝突して乱流状態となることを未然に防止することができる。
【００４２】
（実施の形態３）
図４は、本発明の第３の実施の形態の冷蔵庫の冷却器近傍の風路構成模式図である。
【００４３】
図４において、実施の形態１、および、実施の形態２の構成に加えて、冷気循環ダクト３５の出口側近辺に、冷気を循環させるためのファン３９を配置した構成となっている。
【００４４】
以上のように構成された冷蔵庫について、以下その動作、作用を説明する。
【００４５】
まず、ファン３９を回転させると、その吸込力により、冷気循環ダクト３５内の冷気を力強く吸引するので、冷却器３１で冷却された戻り冷気の大部分が、冷気循環ダクト３５の入口部から吸引される。また、ファン３９の吹出口が、冷気供給ダクト３２の入口に冷却器３１を挟んで最短距離で配置されているため、冷気循環ダクト３５内を流れてくる冷気の大半を冷気供給ダクト３２の入口側へ到達させることができる。
【００４６】
また、図４において、冷気供給ダクト３２の入口側近辺にファン４０を配置した構成においては、冷気の吹出口が冷気供給ダクトの近傍にあるため、勢いのある冷気を冷気供給ダクトの出口から各々の貯蔵室へ供給することが可能となる。そして、ファン４０の吸込口は冷気循環ダクト３５と冷却器３１を介して近接しているので、冷気循環ダクト３５内の冷気を吸込むので、結果として、冷気戻り口３３に還流してくる戻り冷気が、冷気循環ダクト３５の入口側から吸い込まれることになる。
【００４７】
以上のように、本発明の形態においては、冷気を循環させるためのファン３９を、冷気循環ダクト３５の出口側近辺に配置することにより、ファンの吸込力により、冷却器を通過した冷気を効率的に吸引できるとともに、吐出された冷気に勢いがあるので、再度、冷気循環ダクトの入口側から吸引されるのを抑制でき、冷気供給ダクトに向かう直線的な流れを生み出すことが可能となる。
【００４８】
また、冷気を循環させるためのファン４０を、冷気供給ダクト３２の入口側近辺に配置することにより、ファンの吸込力により、冷却器を通過した冷気を効率的に吸引できるとともに、冷気供給ダクトに勢いのある冷気流を吐出することができ、多量の冷気を確実に庫内へ導くことが可能となる。
【産業上の利用可能性】
【００４９】
以上のように、本発明にかかる冷蔵庫は、戻り冷気を冷却器に２回通過させるので、冷凍サイクルの能力を増大させずに、より低温の冷気が得られるので、冷凍・冷蔵ショーケースや業務用の冷凍冷蔵庫などの用途にも提供できる。
【符号の説明】
【００５０】
３１  冷却器
３２  冷気供給ダクト
３３  戻り口
３４  冷気戻りダクト
３５  冷気循環ダクト
３６  第１のガイド部材
３７  第２のガイド部材
３８  第３のガイド部材
３９  ファン
４０  ファン
【図１】
2014190551.tif 000003
【図２】
2014190551.tif 000004
【図３】
2014190551.tif 000005
【図４】
2014190551.tif 000006
【図５】
2014190551.tif 000007
【図６】
2014190551.tif 000008